(57)【要約】【課題】専用の製造装置を必要とせず、従来からのシール製造装置を用いて簡単に製造可能で、需要に応じてタイムリーな供給を可能とし、製造単価を低く抑え、応募券を貼付け面から立体的に位置させアピール効果を向上可能な応募券用シールおよび応募券用シール貼付け方法を提供すること。【解決手段】貼付け部１１に応募券取付け部１２を隣接した応募券仮着部１３を裏打ちし、応募券本体部１４を応募券仮着部１３に仮着することに着目したもので、貼付け部１１と、応募券を取り付け可能とする応募券取付け部１２と、応募券取付け部１２に裏打ち可能な応募券仮着部１３と、応募券仮着部１３に仮着可能であるとともに応募券を形成可能な応募券本体部１４と、を有するとともに、貼付け部１１、応募券取付け部１２、応募券仮着部１３および応募券本体部１４のそれぞれの裏面に粘着剤層２１を形成し、それぞれの表面に剥離剤層２３を形成していることを特徴とする。【選択図】図１
2008006621.tif 000002
【特許請求の範囲】
【請求項１】
所定の商品あるいはその包装容器に貼り付け可能であるとともに、応募券を形成する応募券用シールであって、
前記商品あるいは前記包装容器に貼り付け可能である貼付け部と、
この貼付け部に第１の切取り線を介して隣接しているとともに、前記応募券を取り付け可能とする応募券取付け部と、
この応募券取付け部の前記第１の切取り線とは異なる位置に設けた折返し線を介してこの応募券取付け部に隣接しているとともに、この折返し線部分で折り返してこの応募券取付け部に裏打ち可能な応募券仮着部と、
前記応募券取付け部の前記折返し線および前記第１の切取り線とは異なる第２の切取り線を介して前記応募券取付け部に隣接し、前記応募券取付け部に裏打ちした前記応募券仮着部にこの第２の切取り線部分で折り返して仮着可能であるとともに、前記応募券を形成可能な応募券本体部と、
を有するとともに、
前記貼付け部、前記応募券取付け部、前記応募券仮着部および前記応募券本体部のそれぞれの裏面に粘着剤層を形成し、さらに、それぞれの表面に剥離剤層を形成していることを特徴とする応募券用シール。
【請求項２】
前記応募券取付け部は、前記応募券仮着部および前記応募券本体部とほぼ同一形状およびほぼ同一面積を有することを特徴とする請求項１記載の応募券用シール。
【請求項３】
前記応募券仮着部は、前記折返し線に対して前記応募券取付け部と線対称に隣接していることを特徴とする請求項１記載の応募券用シール。
【請求項４】
前記応募券本体部は、前記応募券仮着部に対して前記折返し線および前記第２の切取り線の交点のまわりに回転対称に位置していることを特徴とする請求項１記載の応募券用シール。
【請求項５】
所定の商品あるいはその包装容器に応募券を貼り付けるための応募券用シール貼付け方法であって、
前記商品あるいは前記包装容器に貼り付け可能である貼付け部と、
この貼付け部に第１の切取り線を介して隣接しているとともに、前記応募券を取り付け可能とする応募券取付け部と、
この応募券取付け部の前記第１の切取り線とは異なる位置に設けた折返し線を介してこの応募券取付け部に隣接しているとともに、この折返し線部分で折り返してこの応募券取付け部に裏打ち可能な応募券仮着部と、
前記応募券取付け部の前記折返し線および前記第１の切取り線とは異なる第２の切取り線を介して前記応募券取付け部に隣接し、前記応募券取付け部に裏打ちした前記応募券仮着部にこの第２の切取り線部分で折り返して仮着可能であるとともに、前記応募券を形成可能な応募券本体部と、
を形成し、かつ、
前記貼付け部、前記応募券取付け部、前記応募券仮着部および前記応募券本体部のそれぞれの裏面に粘着剤層を形成し、さらに、それぞれの表面に剥離剤層を形成して応募券用シールを形成するとともに、
前記応募券仮着部を前記折返し線において折り返すことにより、前記応募券本体部の裏面側に裏打ちするように貼り合わせた状態で、
前記応募券本体部を前記第２の切取り部において折り返すことにより、前記応募券仮着部に仮着し、
前記貼付け部を前記商品あるいは前記包装容器に貼り付けることを特徴とする応募券用シール貼付け方法。
【請求項６】
前記応募券本体部は、これを前記第２の切取り線において前記応募券取付け部から切り取るとともに前記応募券仮着部から剥離可能であることを特徴とする請求項５記載の応募券用シール貼付け方法。
【請求項７】
前記応募券本体部は、前記応募券取付け部および前記応募券仮着部とともに、前記第１の切取り線において前記貼付け部からこれを切り取り可能であることを特徴とする請求項５記載の応募券用シール貼付け方法。
【発明の詳細な説明】
【技術分野】
【０００１】
本発明は応募券用シールおよび応募券用シール貼付け方法にかかるもので、とくに製造コストを低く抑えることができる応募券用シールおよび応募券用シール貼付け方法に関するものである。
【背景技術】
【０００２】
従来から、商品の販売促進のために、商品あるいはその包装容器にキャンペーン用その他の目的の応募券を取り付けておき、商品の購入客に当該応募券を販売元ないし製造元に送付してもらうということが行われていた。
図９にもとづき概説する。
図９は、従来の応募券用シール１を商品Ｍに貼り付けた状態を示す斜視図であって、応募券用シール１は、第１の貼付け部２および第２の貼付け部３を有し、第１の貼付け部２および第２の貼付け部３の間に位置して応募券４を形成している。
第１の貼付け部２および第２の貼付け部３と応募券４との間は、切り取り可能なミシン目などによる第１の切取り線５および第２の切取り線６としてあって、商品Ｍを購入した購入者は、切取り線５の部分から応募券４を第１の貼付け部２および第２の貼付け部３から切り離し、封筒などに入れて送付することになる。
【０００３】
第１の貼付け部２および第２の貼付け部３の裏面には、第１の粘着剤層７および第２の粘着剤層８を形成することにより商品Ｍなどに貼り付け可能とするとともに、応募券４の裏面には、商品Ｍに貼り付かないように粘着剤層を設けていない。
しかしながら、応募券用シール１の裏面において、第１の粘着剤層７および第２の粘着剤層８と応募券４との部分で粘着剤層を交互に形成するように筋状に粘着剤層を形成した、いわゆる筋糊原反とすることは製造工程が複雑となり、応募券用シール１の原反自体が高価なものとなってしまうという問題がある。
さらに、筋糊原反の製造に手間取るため、需要に応じて応募券用シール１としてのタイムリーな供給が困難であるという問題がある。
また、応募券用シール１の裏面一面に粘着剤層を形成したのち、応募券４の裏面部分にのみ、いわゆる糊殺し剤を塗布する手法もあるが、この手法では、その生産にあたって専用設備が必要であるとともに、段取り時間を多く必要とし、生産ロスが多く、生産効率が低くて、同じく製造コストが高く、応募券用シール１の単価が高くならざるを得ないという問題がある。
【０００４】
なお、上述の応募券用シール１以外にも、ラベル基材などを三層ないし四層の多層シールとして構成するものもあるが、このような多層シールは、上述の場合と同様に、その製造のために高価な専用設備を必要とするし、シール単価が高くなってしまうとともに、製造工程が複雑であるため、生産ロットを大きくせざるを得ず、納期が長くなってしまうという問題がある。
【０００５】
なおまた、上述の応募券用シール１では、第１の貼付け部２および第２の貼付け部３さらに応募券４が商品Ｍ上に平面的に貼り付けられることになるため、顧客の目に止まりにくく、アピール効果に乏しいという問題がある。
【０００６】
【特許文献１】特開２００２−５９６７６号公報
【発明の開示】
【発明が解決しようとする課題】
【０００７】
本発明は以上のような諸問題にかんがみなされたもので、製造単価を低く抑えることができる応募券用シールおよび応募券用シール貼付け方法を提供することを課題とする。
【０００８】
また本発明は、需要に応じてタイムリーな供給を可能とする納期が短い応募券用シールおよび応募券用シール貼付け方法を提供することを課題とする。
【０００９】
また本発明は、専用の製造装置を必要とせず、従来からのシール製造装置を用いて簡単に製造可能な応募券用シールおよび応募券用シール貼付け方法を提供することを課題とする。
【００１０】
また本発明は、簡単な操作で応募券を構成し、商品ないしその包装容器に確実に貼り付けるとともに、購入者も容易に応募券として送付可能な応募券用シールおよび応募券用シール貼付け方法を提供することを課題とする。
【００１１】
また本発明は、応募券の部分を商品ないしその包装容器などの貼付け面から立体的に位置するようにして顧客へのアピール効果を向上可能な応募券用シールおよび応募券用シール貼付け方法を提供することを課題とする。
【課題を解決するための手段】
【００１２】
すなわち本発明は、単一の貼付け部に応募券取付け部を隣接させ、この応募券取付け部に応募券仮着部を裏打ちするとともに、応募券を構成することになる応募券本体部をこの応募券仮着部に仮着することに着目したもので、第一の発明は、所定の商品あるいはその包装容器に貼り付け可能であるとともに、応募券を形成する応募券用シールであって、上記商品あるいは上記包装容器に貼り付け可能である貼付け部と、この貼付け部に第１の切取り線を介して隣接しているとともに、上記応募券を取り付け可能とする応募券取付け部と、この応募券取付け部の上記第１の切取り線とは異なる位置に設けた折返し線を介してこの応募券取付け部に隣接しているとともに、この折返し線部分で折り返してこの応募券取付け部に裏打ち可能な応募券仮着部と、上記応募券取付け部の上記折返し線および上記第１の切取り線とは異なる第２の切取り線を介して上記応募券取付け部に隣接し、上記応募券取付け部に裏打ちした上記応募券仮着部にこの第２の切取り線部分で折り返して仮着可能であるとともに、上記応募券を形成可能な応募券本体部と、を有するとともに、上記貼付け部、上記応募券取付け部、上記応募券仮着部および上記応募券本体部のそれぞれの裏面に粘着剤層を形成し、さらに、それぞれの表面に剥離剤層を形成していることを特徴とする応募券用シールである。
【００１３】
上記応募券取付け部は、上記応募券仮着部および上記応募券本体部とほぼ同一形状およびほぼ同一面積を有することができる。
【００１４】
上記応募券仮着部は、上記折返し線に対して上記応募券取付け部と線対称に隣接していることができる。
【００１５】
上記応募券本体部は、上記応募券仮着部に対して上記折返し線および上記第２の切取り線の交点のまわりに回転対称に位置していることができる。
【００１６】
第二の発明は、所定の商品あるいはその包装容器に応募券を貼り付けるための応募券用シール貼付け方法であって、上記商品あるいは上記包装容器に貼り付け可能である貼付け部と、この貼付け部に第１の切取り線を介して隣接しているとともに、上記応募券を取り付け可能とする応募券取付け部と、この応募券取付け部の上記第１の切取り線とは異なる位置に設けた折返し線を介してこの応募券取付け部に隣接しているとともに、この折返し線部分で折り返してこの応募券取付け部に裏打ち可能な応募券仮着部と、上記応募券取付け部の上記折返し線および上記第１の切取り線とは異なる第２の切取り線を介して上記応募券取付け部に隣接し、上記応募券取付け部に裏打ちした上記応募券仮着部にこの第２の切取り線部分で折り返して仮着可能であるとともに、上記応募券を形成可能な応募券本体部と、を形成し、かつ、上記貼付け部、上記応募券取付け部、上記応募券仮着部および上記応募券本体部のそれぞれの裏面に粘着剤層を形成し、さらに、それぞれの表面に剥離剤層を形成して応募券用シールを形成するとともに、上記応募券仮着部を上記折返し線において折り返すことにより、上記応募券本体部の裏面側に裏打ちするように貼り合わせた状態で、上記応募券本体部を上記第２の切取り部において折り返すことにより、上記応募券仮着部に仮着し、上記貼付け部を上記商品あるいは上記包装容器に貼り付けることを特徴とする応募券用シール貼付け方法である。
【００１７】
上記応募券本体部は、これを上記第２の切取り線において上記応募券取付け部から切り取るとともに上記応募券仮着部から剥離可能であることができる。
【００１８】
上記応募券本体部は、上記応募券取付け部および上記応募券仮着部とともに、上記第１の切取り線において上記貼付け部からこれを切り取り可能であることができる。
【００１９】
上記応募券本体部および上記応募券仮着部は、互いに上記回転対称であって、ほぼ同一形状およびほぼ同一面積を有するものであれば、それぞれの形状として四角形、三角形、あるいは台形など、任意の形状にこれを形成可能であり、これらの形状に合わせて、上記折返し線および上記第２の切取り線を形成することができる。
【００２０】
さらに、上記応募券取付け部および上記応募券仮着部は、互いにほぼ同一形状およびほぼ同一面積を有するものであれば、応募券仮着部をたとえば左右に二分割するなどして形成することもできる。
【発明の効果】
【００２１】
本発明による応募券用シールおよび応募券用シール貼付け方法においては、応募券取付け部にそれぞれ隣接する貼付け部、応募券仮着部および応募券本体部を設けるとともに、それぞれの裏面に粘着剤層を形成し、表面に剥離剤層を形成したので、折返し線を介して応募券取付け部に応募券仮着部を折り返して裏打ちし、この応募券仮着部に応募券本体部（応募券）を第２の切取り線を介して折り返して仮着した状態で、貼付け部を商品に貼り付けることができる。したがって、当該応募券用シール自体の製造において、シール基材の裏面全体に均一に粘着剤層を形成し、かつシール基材の表面全体に均一に剥離剤層を形成可能であって、従来のような筋糊原反などを使用することなく、あるいは糊殺し工程を経る必要がなく、製造コストを低く抑えるとともに、タイムリーな供給が可能である。
【００２２】
とくに第一の発明によれば、応募券本体部に隣接している応募券仮着部を折返し線において応募券取付け部の裏側に折り返すことができるようにしたので、応募券取付け部の裏面側におけるその粘着剤層をこの応募券仮着部が被覆するとともに、この応募券仮着部の表面側の剥離剤層に応募券本体部を仮着することができ、応募券仮着部から応募券本体部を剥離するとともに第２の切取り線で応募券取付け部から切り離し、応募券として葉書その他に貼り付けて郵送することができる。
あるいは、貼付け部と応募券取付け部との間の第１の切取り部で、この応募券取付け部、応募券仮着部および応募券本体部の三層構造部をそのまま切り離し、応募券として持参ないし郵送することもできる。
さらに、製造工程における粘着剤層や剥離剤層の塗布工程は従来と同様とすることができ、製造コストの上昇を抑えることができる。
【００２３】
とくに第二の発明によれば、第１の切取り線の部分で貼付け部に、応募券取付け部、応募券仮着部および応募券本体部の三層構造状態の応募券表示部分を取り付けておくことができるので、貼り付ける商品の平面から応募券本体部ないし応募券取付け部を浮き立たせた立体的な貼付け構造を実現し、顧客に応募券の存在をアピールしやすくなる。
【発明を実施するための最良の形態】
【００２４】
本発明は、貼付け部、応募券取付け部、応募券仮着部および応募券本体部のそれぞれの裏面に粘着剤層を形成し、さらに、それぞれの表面に剥離剤層を形成し、応募券を取り付けることになる応募券取付け部に応募券仮着部を折り返して裏打ちをすることによりその粘着剤層を不活性化するとともに、この応募券仮着部に応募券本体部を仮着することとしたので、当該応募券用シール自体の製造において、従来どおり、その裏面に均一に粘着剤層を形成し、表面に均一に剥離剤層を形成すればよく、製造コストを低く抑えるとともに、顧客へのアピール効果を増し、従来と同様の利用形態を採ることができる応募券用シールおよび応募券用シール貼付け方法を実現した。
【実施例】
【００２５】
つぎに本発明の第１の実施例による応募券用シール１０および応募券用シール貼付け方法を図１ないし図７にもとづき説明する。ただし、図９と同様の部分には同一符号を付し、その詳述はこれを省略する。
図１は、応募券用シール１０の平面図、図２は、図１のＩＩ−ＩＩ線断面図、図３は、図１のＩＩＩ−ＩＩＩ線断面図である。
応募券用シール１０は、貼付け部１１と、応募券取付け部１２と、応募券仮着部１３と、応募券本体部１４と、を有するとともに、帯状の台紙１５上にこれを仮着してある。
【００２６】
貼付け部１１は、たとえば長方形などを呈し、商品Ｍ（あるいはその包装容器）に貼り付け可能とするだけの所定の面積を有する。
【００２７】
応募券取付け部１２は、貼付け部１１および応募券本体部１４の間に位置した正方形あるいは長方形など四角形状を呈し、これら貼付け部１１および応募券本体部１４にそれぞれミシン目などによる第１の切取り線１６、および第１の切取り線１６とは反対側の第２の切取り線１７を介して隣接している。
すなわち、応募券取付け部１２は、第１の切取り線１６において貼付け部１１からこれを切り取り可能であるとともに、第２の切取り線１７において応募券本体部１４を切り取り可能であって、かつ応募券本体部１４を折り返し可能である。
【００２８】
応募券仮着部１３は、応募券取付け部１２とほぼ同一形状およびほぼ同一面積を有するとともに、第１の切取り線１６および第２の切取り線１７とは異なる位置に設けた折返し線１８（図１中、一点鎖線）を介して応募券取付け部１２に線対称に隣接しているものである。
応募券仮着部１３は、折返し線１８においてこれを折り返すことにより、応募券本体部１４の裏面側に裏打ちするように、すなわち、応募券本体部１４に一致するように重ね合わせた状態で貼り合わせ可能である。
【００２９】
応募券本体部１４は、応募券取付け部１２および応募券仮着部１３とほぼ同一形状およびほぼ同一面積を有するとともに、第２の切取り線１７を介して応募券取付け部１２に隣接しており、応募券仮着部１３に対して折返し線１８および第２の切取り線１７の交点１９のまわりに回転対称に位置している。
すなわち応募券本体部１４は、応募券取付け部１２に裏打ちした応募券仮着部１３にこの第２の切取り線部分で折り返してぴったり重ね合わせ可能に仮着可能であるとともに、応募券を形成可能である。
なお、応募券用シール１０の一形態として、応募券本体部１４のみにより応募券を形成する形態があるが、応募券取付け部１２および応募券仮着部１３とともに応募券２０（図５および図６において後述）を形成することもできる。
【００３０】
なお、上記貼付け部１１、応募券取付け部１２、応募券仮着部１３および応募券本体部１４のそれぞれの裏面に均一に粘着剤層２１を形成し、台紙１５には、その表面側に剥離剤層２２（台紙側剥離剤層）を塗布してあり、台紙１５から応募券用シール１０を剥離可能としている。
さらに、貼付け部１１、応募券取付け部１２、応募券仮着部１３および応募券本体部１４のそれぞれの表面に均一に剥離剤層２３（シール側剥離剤層）を形成してある。
【００３１】
上述した貼付け部１１、応募券取付け部１２、応募券仮着部１３および応募券本体部１４には、商品販売促進用に各種の印刷を行うものである。
図４は、台紙１５から応募券用シール１０を剥離した状態を示す斜視図、図５は、応募券（応募券本体部１４あるいは応募券２０）を形成した状態の応募券用シール１０の平面図、図６は、図５のＶＩ−ＶＩ線断面図である。
図４に示すように、たとえば、応募券を構成することになる応募券本体部１４には、「・・・キャンペーン応募券」さらに「剥がした応募券を葉書に貼って・・・（株）までお送り下さい。」、などと記載することができる。
さらに、応募券取付け部１２においては、「裏側に応募券があります。」などの記載、および第２の切取り線１７の内側領域内に「この線から切り取って下さい。」と、あらかじめ印刷する。
貼付け部１１には、「もれなく、素敵な商品が当たります。」など、あらかじめ印刷し、任意の商品販売促進用の印刷を施しておくことができる。
応募券仮着部１３は、後述するように、応募券取付け部１２と応募券本体部１４との間に挟まれる層となるので、必ずしも特別な印刷を行う必要はない。
【００３２】
なお、応募券取付け部１２、応募券仮着部１３および応募券本体部１４の三層構造部分を応募券２０として使用する場合には、第２の切取り線１７は、折返し線として機能すればよいものであり、応募券本体部１４を応募券取付け部１２から切り取る必要はない。
この場合には、たとえば、応募券取付け部１２の表面自体に「応募券」と表示しておくか、上述した「裏側に応募券があります。」などの記載を行っておくとともに、応募券本体部１４には、応募券本体部１４を応募券仮着部１３から剥がすという記載は不要で、「応募券を・・・（株）までお送り下さい。」、「・・・キャンペーン応募券」などと記載することができる。
【００３３】
こうした構成の応募券用シール１０を所定の商品Ｍ（あるいはその包装容器）に貼り付ける方法を説明する。
図４に示すように、応募券仮着部１３を折返し線１８において矢印Ａのように折り返すことにより、応募券取付け部１２の裏面側に裏打ちするように貼り合わせる。
ついで、応募券本体部１４を第２の切取り線１７において矢印Ｂのように折り返すことにより、この裏打ち状態の応募券仮着部１３に重ね合わせるようにその表面の剥離剤層２３に仮着することにより、図５に示すような貼合わせ状態とする。
【００３４】
図６に示すように、貼付け部１１を商品Ｍ（あるいはその包装容器、図中仮想線）に貼り付ければ、応募券本体部１４あるいは応募券２０の部分は、応募券取付け部１２、応募券仮着部１３および応募券本体部１４の三層構造で貼付け部１１に比較して厚くなっているので、貼付け部１１と応募券２０とは第２の切取り線１７の部分でやや折れ曲がり、応募券２０が商品Ｍの表面からやや浮いて三次元的ないし立体的な貼付け状態となり、平面的な貼付け状態に比較して応募券２０(応募券本体部１４)の存在をより効果的にアピール可能である。
なお、応募券２０（応募券本体部１４）自体は商品Ｍに対向している面は、応募券本体部１４の表面の剥離剤層２３（シール側剥離剤層）であり、糊面側（粘着剤層２１）ではないので、応募券２０が商品Ｍに貼り付いてしまうことがないとともに、その取扱いに支障はない。
【００３５】
応募券本体部１４を応募券として利用する場合には、商品Ｍの購入者は、応募券仮着部１３から応募券本体部１４を剥離し、第２の切取り線１７の部分で切り取って、この応募券本体部１４を応募券として葉書に貼り付けて郵送応募することができる。
応募券取付け部１２、応募券仮着部１３および応募券本体部１４を応募券２０とする場合には、第１の切取り線１６において三層の応募券２０自体を貼付け部１１から切り離し、そのままレジなどに持参するか、送付応募することもできる。
【００３６】
図７は、応募券用シール１０を製造する際の帯状原反２４の平面図であって、正方形あるいは長方形など四角形状の応募券取付け部１２を中心部に有する応募券用シール１０それぞれを天地を順次逆にして互い違いに組み合わせれば（図中、各応募券用シール１０に斜線を入れて判別しやすくしている）、一定幅（応募券取付け部１２および応募券仮着部１３を合わせた幅）の一本の帯状原反２４とし、無駄なトリミング部分を極力少なくして製造可能である。
とくに、応募券用シール１０の形成にあたっては、それぞれの応募券用シール１０に切り分けるとともに第１の切取り線１６および第２の切取り線１７を形成するためのシール用の刃型（図示せず）を作成すればよく、従来のシール製造装置ないし糊塗布装置矢剥離剤塗布装置をそのまま使用可能であって、製造コストの上昇を最小限に抑えることができる。
【００３７】
なお本発明においては、応募券取付け部１２、応募券仮着部１３および応募券本体部は、互いにほぼ同一形状およびほぼ同一面積を有するものであれば、それぞれの形状として四角形、三角形、あるいは台形など、任意の形状にこれを形成可能であり、これらの形状に合わせて、第１の切取り線、第２の切取り線および折返し線を形成することができる。
とくに、応募券取付け部１２および応募券仮着部１３が折返し線に対して互いに線対称の位置にあれば、四角形以外の、三角形などの形状であっても、貼付け部１１および応募券本体部１４をそれらの形状に合わせて選択形成するとともに、応募券用シールとして隣り合わせの部分を組み合わせ配置により、一定幅の帯状原反を製造することができる。
【００３８】
さらに、応募券仮着部１３および応募券本体部１４は、互いにほぼ同一形状およびほぼ同一面積を有するものであれば、応募券仮着部１３を所定数の領域に分割して形成することもできる。
たとえば図８は、本発明の第２の実施例による応募券用シール３０の平面図であって、応募券用シール３０においては、たとえば正方形状の応募券取付け部１２に隣接する応募券仮着部３１として、これを均等に二分割し、同じ長方形状および同じ面積の第１の応募券仮着部３１Ａおよび第２の応募券仮着部３１Ｂとして第１の折返し線３２および第２の折返し線３３を介して応募券取付け部１２に隣接するように配置形成してある。
したがって、第１の折返し線３２および第２の折返し線３３の部分で第１の応募券仮着部３１Ａおよび第２の応募券仮着部３１Ｂをそれぞれ応募券取付け部１２の裏側に折り返し、第１の応募券仮着部３１Ａおよび第２の応募券仮着部３１Ｂを応募券取付け部１２の裏面において合わせると、応募券仮着部３１全体として応募券取付け部１２とほぼ同一形状およびほぼ同一面積になるようにしてある。
なお、応募券用シール１０と同様に、応募券用シール３０の裏面全面には、粘着剤層２１を均一に形成するとともに、その表面全面には、剥離剤層２３（シール側剥離剤層）を均一に形成している。
【００３９】
こうした構成の応募券用シール３０においても、上述の応募券用シール１０（第１の実施例、図１）と同様に、台紙１５から剥がした応募券用シール３０について、第１の応募券仮着部３１Ａおよび第２の応募券仮着部３１Ｂを第１の折返し線３２および第２の折返し線３３で折り返して応募券取付け部１２に裏打ちするとともに、この第１の応募券仮着部３１Ａおよび第２の応募券仮着部３１Ｂの表面に応募券本体部１４を折り返して仮着し、三層構造を呈する応募券本体部１４ないし応募券３４を構成することができる。
この応募券用シール３０の貼付け方法および応募の仕方は、既述した応募券用シール１０と同様であるので、その記載はこれを省略する。
【図面の簡単な説明】
【００４０】
【図１】本発明の第１の実施例による応募券用シール１０の平面図である。
【図２】同、図１のＩＩ−ＩＩ線断面図である。
【図３】同、図１のＩＩＩ−ＩＩＩ線断面図である。
【図４】同、台紙１５から応募券用シール１０を剥離した状態を示す斜視図である。
【図５】同、応募券（応募券本体部１４あるいは応募券２０）を形成した状態の応募券用シール１０の平面図である。
【図６】同、図５のＶＩ−ＶＩ線断面図である。
【図７】同、応募券用シール１０を製造する際の帯状原反２４の平面図である。
【図８】本発明の第２の実施例による応募券用シール３０の平面図である。
【図９】従来の応募券用シール１を商品Ｍに貼り付けた状態を示す斜視図である。
【符号の説明】
【００４１】
１  応募券用シール（従来、図９）
２  第１の貼付け部
３  第２の貼付け部
４  応募券
５  第１の切取り線
６  第２の切取り線
７  第１の粘着剤層
８  第２の粘着剤層
１０  応募券用シール（第１の実施例、図１）
１１  貼付け部
１２  応募券取付け部
１３  応募券仮着部
１４  応募券本体部（応募券）
１５  台紙
１６  第１の切取り線
１７  第２の切取り線
１８  折返し線
１９  折返し線１８および第２の切取り線１７の交点
２０  応募券（応募券取付け部１２、応募券仮着部１３および応募券本体部１４の三層構造）
２１  粘着剤層
２２  剥離剤層（台紙側剥離剤層）
２３  剥離剤層（シール側剥離剤層）
２４  帯状原反（図７）
３０  応募券用シール（第２の実施例、図８）
３１  応募券仮着部
３１Ａ  第１の応募券仮着部
３１Ｂ  第２の応募券仮着部
３２  第１の折返し線
３３  第２の折返し線
３４  応募券（応募券取付け部１２、応募券仮着部３１および応募券本体部１４の三層構造）
Ｍ    商品
【図１】
2008006621.tif 000003
【図２】
2008006621.tif 000004
【図３】
2008006621.tif 000005
【図４】
2008006621.tif 000006
【図５】
2008006621.tif 000007
【図６】
2008006621.tif 000008
【図７】
2008006621.tif 000009
【図８】
2008006621.tif 000010
【図９】
2008006621.tif 000011